(57)【要約】      （修正有）【課題】ユーザがユーザ・インターフェースを構成することを可能にする、携帯用装置のためのよりトランスペアレントで直感的なユーザ・インターフェースを提供する。【解決手段】携帯用電子装置が、タッチセンシティブ・ディスプレイの領域内に複数のアイコン（例えば、グラフィカル・オブジェクト）を表示し、所定のユーザ・インターフェース再構成プロセスを開始するために、タッチセンシティブ・ディスプレイに対する所定のユーザ・アクションを検知し、所定のユーザ・アクションの検知に応答して、複数のアイコンの１つ又はそれ以上のアイコンの位置を変化させる。変化させることは、１つ又はそれ以上のアイコンの位置をそれぞれの平均的位置を中心として変化させることを含む。【選択図】図１
2020191108.tif 000002
【特許請求の範囲】
【請求項１】
タッチセンシティブ・ディスプレイと、
１つ又はそれ以上のプロセッサと、
メモリと、
前記メモリに格納され、前記１つ又はそれ以上のプロセッサによって実行されるように
構成され、かつ、
前記タッチセンシティブ・ディスプレイ上の第１の領域内に第１の複数のアイコンを
表示するための命令と、
所定のユーザ・インターフェース再構成プロセスを開始するために、前記タッチセン
シティブ・ディスプレイに対する第１の所定のユーザ・アクションを検知するための命令
と、
前記第１の所定のユーザ・アクションの検知に応答して、前記第１の複数のアイコン
の多数のアイコンの位置を変化させるための命令と、
を含む１つ又はそれ以上のプログラムと、
を備え、前記変化させることは、前記多数のアイコンの各アイコンの前記位置を、該多数
のアイコンの他のアイコンのそれぞれの平均的位置とは異なるそれぞれの平均的位置を中
心として変化させることを含み、それぞれのアイコンの各々は、実質的に前記それぞれの
アイコンの前記それぞれの平均的位置を中心とした領域内で振動することを特徴とする携
帯用電子装置。
【請求項２】
前記位置を変化させるための命令は、前記多数のアイコンをアニメーション表示し、前
記タッチセンシティブ・ディスプレイの表面に対応する表面上での該多数のアイコンの浮
動をシミュレートするための命令を含むことを特徴とする、請求項１に記載の装置。
【請求項３】
前記アイコンのそれぞれのアイコンの位置を変化させることは、前記タッチセンシティ
ブ・ディスプレイと実質的に一致する面における運動方程式に対応し、前記運動方程式は
、閾値より小さい摩擦係数を有することを特徴とする、請求項１に記載の装置。
【請求項４】
前記それぞれのアイコンについての前記運動方程式は、ゼロでない初期速度を有するこ
とを特徴とする、請求項３に記載の装置。
【請求項５】
前記それぞれのアイコンについての前記運動方程式は、該それぞれのアイコンの前記そ
れぞれの平均的位置の周りに復元力を有し、該それぞれのアイコンの前記位置は、実質的
に該それぞれのアイコンの該それぞれの平均的位置を中心とした領域内で振動することを
特徴とする、請求項３に記載の装置。
【請求項６】
前記それぞれのアイコンについての前記運動方程式は、ゼロでない角速度を含むことを
特徴とする、請求項３に記載の装置。
【請求項７】
前記それぞれのアイコンは、前記タッチセンシティブ・ディスプレイに対して一定の配
向を維持しながら、該それぞれのアイコンの前記それぞれの平均的位置を中心として回転
することを特徴とする、請求項６に記載の装置。
【請求項８】
ユーザが、前記多数のアイコン内の第１のアイコンに対応する第１の位置に前記タッチ
センシティブ・ディスプレイとの接触点を形成するのを検知するための命令、及び、前記
接触点が、該タッチセンシティブ・ディスプレイの第２の位置に移動するのを検知するた
めの命令と、
前記接触点の検知及び該接触点の移動の検知に応答して、前記タッチセンシティブ・デ
ィスプレイの前記第２の位置への前記第１のアイコンの移動を表示し、該第１のアイコン
を該第２の位置に表示するための命令と、
をさらに含むことを特徴とする、請求項１に記載の装置。
【請求項９】
前記所定のユーザ・インターフェース再構成プロセスを終了するために、前記タッチセ
ンシティブ・ディスプレイに対する第２の所定のユーザ・アクションの検知に応答して、
前記第１のアイコンの位置を前記第２の位置に固定するための命令をさらに含むことを特
徴とする、請求項８に記載の装置。
【請求項１０】
前記第１のアイコンの前記第２の位置が第２のアイコンのそれぞれの初期位置と少なく
とも部分的に重なるとき、前記多数のアイコン内の第２のアイコンを、前記それぞれの初
期位置からそれぞれの新しい位置に移動させるための命令をさらに含むことを特徴とする
、請求項８に記載の装置。
【請求項１１】
ユーザが、前記多数のアイコン内の第１のアイコンに対応する第１の位置に前記タッチ
センシティブ・ディスプレイとの第１の接触点を形成するのを検知するための命令、及び
、前記第１の接触点が、該タッチセンシティブ・ディスプレイ上の第２の領域内の第２の
位置に移動するのを検知するための命令と、
前記第１の接触点の検知及び該第１の接触点の移動を検知することに応答して、前記タ
ッチセンシティブ・ディスプレイの前記第２の位置への前記第１のアイコンの移動を表示
し、該第１のアイコンを該第２の位置に表示するための命令と、
をさらに含むことを特徴とする、請求項１に記載の装置。
【請求項１２】
ユーザが、前記タッチセンシティブ・ディスプレイ上の前記第２の領域内の第２の複数
のアイコンの第２のアイコンに対応する第３の位置に該タッチセンシティブ・ディスプレ
イとの第２の接触点を形成するのを検知するための命令、及び、前記第２の接触点が、該
タッチセンシティブ・ディスプレイ上の前記第１の領域内の第４の位置に移動するのを検
知するための命令と、
前記第２の接触点の検知及び該第２の接触点の移動の検知に応答して、前記タッチセン
シティブ・ディスプレイの前記第４の位置への前記第２のアイコンの移動を表示し、該第
２のアイコンを該第４の位置に表示するための命令と、
をさらに含むことを特徴とする、請求項１１に記載の装置。
【請求項１３】
前記所定のユーザ・インターフェース再構成プロセスを終了するために、前記タッチセ
ンシティブ・ディスプレイに対する第２の所定のユーザ・アクションの検知に応答して、
前記第１のアイコンの位置を前記第２の位置に、かつ、前記第２のアイコンの位置を前記
第４の位置に固定するための命令をさらに含むことを特徴とする、請求項１２に記載の装
置。
【請求項１４】
前記第１のアイコンの新しい位置が第３のアイコンのそれぞれの初期位置と少なくとも
部分的に重なるとき、前記第２の複数のアイコン内の第３のアイコンを、前記それぞれの
初期位置からそれぞれの新しい位置に移動させるための命令をさらに含むことを特徴とす
る、請求項１１に記載の装置。
【請求項１５】
タッチセンシティブ・ディスプレイと、
前記タッチセンシティブ・ディスプレイ上の第１の領域内に第１の複数のアイコンを表
示するための手段と、
所定のユーザ・インターフェース再構成プロセスを開始するために、前記タッチセンシ
ティブ・ディスプレイに対する第１の所定のユーザ・アクションを検知するための手段と
、
前記第１の所定のユーザ・アクションの検知に応答して、前記第１の複数のアイコンの
多数のアイコンの位置を変化させるための手段と、
を備え、前記変化させることは、前記多数アイコンの各アイコンの前記位置を、該多数の
アイコンの他のアイコンのそれぞれの平均的位置とは異なるそれぞれの平均的位置を中心
として変化させることを含み、それぞれのアイコンの各々は、実質的に前記それぞれのア
イコンの前記それぞれの平均的位置を中心とした領域内で振動することを特徴とする携帯
用電子装置。
【請求項１６】
前記位置を変化させるための手段は、前記多数のアイコンをアニメーション表示し、前
記タッチセンシティブ・ディスプレイの表面に対応する表面上での該多数のアイコンの浮
動をシミュレートするための手段を含むことを特徴とする、請求項１５に記載の装置。
【請求項１７】
前記アイコンのそれぞれのアイコンの位置を変化させることは、前記タッチセンシティ
ブ・ディスプレイと実質的に一致する面における運動方程式に対応し、前記運動方程式は
、閾値より小さい摩擦係数を有することを特徴とする、請求項１５に記載の装置。
【請求項１８】
前記それぞれのアイコンについての前記運動方程式は、ゼロでない初期速度を有するこ
とを特徴とする、請求項１７に記載の装置。
【請求項１９】
前記それぞれのアイコンについての前記運動方程式は、該それぞれのアイコンの前記そ
れぞれの平均的位置の周りに復元力を有し、該それぞれのアイコンの前記位置は、実質的
に該それぞれのアイコンの該それぞれの平均的位置を中心とした領域内で振動することを
特徴とする、請求項１７に記載の装置。
【請求項２０】
前記それぞれのアイコンについての前記運動方程式は、ゼロでない角速度を含むことを
特徴とする、請求項１７に記載の装置。
【請求項２１】
前記それぞれのアイコンは、前記タッチセンシティブ・ディスプレイに対して一定の配
向を維持しながら、該それぞれのアイコンの前記それぞれの平均的位置を中心として回転
することを特徴とする、請求項２０に記載の装置。
【請求項２２】
ユーザが、前記多数のアイコン内の第１のアイコンに対応する第１の位置に前記タッチ
センシティブ・ディスプレイとの接触点を形成するのを検知するための手段、及び、前記
接触点が、該タッチセンシティブ・ディスプレイの第２の位置に移動するのを検知するた
めの手段と、
前記接触点の検知及び該接触点の移動の検知に応答して、前記タッチセンシティブ・デ
ィスプレイの前記第２の位置への前記第１のアイコンの移動を表示し、該第１のアイコン
を該第２の位置に表示するための手段と、
をさらに含むことを特徴とする、請求項１５に記載の装置。
【請求項２３】
前記所定のユーザ・インターフェース再構成プロセスを終了するために、前記タッチセ
ンシティブ・ディスプレイに対する第２の所定のユーザ・アクションの検知に応答して、
前記第１のアイコンの位置を前記第２の位置に固定するための手段をさらに含むことを特
徴とする、請求項２２に記載の装置。
【請求項２４】
前記第１のアイコンの前記第２の位置が前記第２のアイコンのそれぞれの初期位置と少
なくとも部分的に重なるとき、前記多数のアイコン内の第２のアイコンを、前記それぞれ
の初期位置からそれぞれの新しい位置に移動させるための手段をさらに含むことを特徴と
する、請求項２２に記載の装置。
【請求項２５】
ユーザが、前記多数のアイコン内の第１のアイコンに対応する第１の位置に前記タッチ
センシティブ・ディスプレイとの第１の接触点を形成するのを検知するための手段、及び
、前記第１の接触点が、該タッチセンシティブ・ディスプレイ上の第２の領域内の第２の
位置に移動するのを検知するための手段と、
前記第１の接触点の検知及び該第１の接触点の移動を検知することに応答して、前記タ
ッチセンシティブ・ディスプレイの前記第２の位置への前記第１のアイコンの移動を表示
し、該第１のアイコンを該第２の位置に表示するための手段と、
をさらに含むことを特徴とする、請求項１５に記載の装置。
【請求項２６】
ユーザが、前記タッチセンシティブ・ディスプレイ上の前記第２の領域内の第２の複数
のアイコンの第２のアイコンに対応する第３の位置に該タッチセンシティブ・ディスプレ
イとの第２の接触点を形成するのを検知するための手段、及び、前記第２の接触点が、該
タッチセンシティブ・ディスプレイ上の前記第１の領域内の第４の位置に移動するのを検
知するための手段と、
前記第２の接触点の検知及び該第２の接触点の移動の検知に応答して、前記タッチセン
シティブ・ディスプレイの前記第４の位置への前記第２のアイコンの移動を表示し、該第
２のアイコンを該第４の位置に表示するための手段と、
をさらに含むことを特徴とする、請求項２５に記載の装置。
【請求項２７】
前記所定のユーザ・インターフェース再構成プロセスを終了するために、前記タッチセ
ンシティブ・ディスプレイに対する第２の所定のユーザ・アクションの検知に応答して、
前記第１のアイコンの位置を前記第２の位置に、かつ、前記第２のアイコンの位置を前記
第４の位置に固定するための手段をさらに含むことを特徴とする、請求項２６に記載の装
置。
【請求項２８】
前記第１のアイコンの新しい位置が第３のアイコンのそれぞれの初期位置と少なくとも
部分的に重なるとき、前記第２の複数のアイコンの第３のアイコンを、前記それぞれの初
期位置からそれぞれの新しい位置に移動させるための手段をさらに含むことを特徴とする
、請求項２５に記載の装置。
【請求項２９】
タッチセンシティブ・ディスプレイを有する携帯用電子装置によって実行されるとき、
前記装置に、
前記タッチセンシティブ・ディスプレイの第１の領域内に第１の複数のアイコンを表示
させ、
所定のユーザ・インターフェース再構成プロセスを開始するために、前記タッチセンシ
ティブ・ディスプレイに対する第１の所定のユーザ・アクションを検知させ、
前記第１の所定のユーザ・アクションの検知に応答して、前記第１の複数のアイコンの
多数のアイコンの位置を変化させる、
１つ又はそれ以上のプロセッサにより実行するように構成された命令を有し、前記変化さ
せることは、前記多数のアイコンの各アイコンの前記位置を、該多数のアイコンの他のア
イコンのそれぞれの平均的位置とは異なるそれぞれの平均的位置を中心として変化させる
ことを含み、それぞれのアイコンの各々は、実質的に前記それぞれのアイコンの前記それ
ぞれの平均的位置を中心とした領域内で振動することを特徴とするコンピュータ・プログ
ラム製品。
【請求項３０】
前記位置を変化させることは、前記多数のアイコンをアニメーション表示し、前記タッ
チセンシティブ・ディスプレイの表面に対応する表面上での該多数のアイコンの浮動をシ
ミュレートすることを含むことを特徴とする、請求項２９に記載のコンピュータ・プログ
ラム製品。
【請求項３１】
前記アイコンのそれぞれのアイコンの位置を変化させることは、前記タッチセンシティ
ブ・ディスプレイと実質的に一致する面における運動方程式に対応し、前記運動方程式は
、閾値より小さい摩擦係数を有することを特徴とする、請求項２９に記載のコンピュータ
・プログラム製品。
【請求項３２】
前記それぞれのアイコンについての前記運動方程式は、ゼロでない初期速度を有するこ
とを特徴とする、請求項３１に記載のコンピュータ・プログラム製品。
【請求項３３】
前記それぞれのアイコンについての前記運動方程式は、該それぞれのアイコンの前記そ
れぞれの平均的位置の周りに復元力を有し、該それぞれのアイコンの前記位置は、実質的
に該それぞれのアイコンの該それぞれの平均的位置を中心とした領域内で振動することを
特徴とする、請求項３１に記載のコンピュータ・プログラム製品。
【請求項３４】
前記それぞれのアイコンについての前記運動方程式は、ゼロでない角速度を含むことを
特徴とする、請求項３１に記載のコンピュータ・プログラム製品。
【請求項３５】
前記それぞれのアイコンは、前記タッチセンシティブ・ディスプレイに対して一定の配
向を維持しながら、該それぞれのアイコンの前記それぞれの平均的位置を中心として回転
することを特徴とする、請求項３４に記載のコンピュータ・プログラム製品。
【請求項３６】
前記タッチセンシティブ・ディスプレイを有する前記電子装置によって実行されるとき
、前記装置に、
ユーザが、前記多数のアイコン内の第１のアイコンに対応する第１の位置に前記タッチ
センシティブ・ディスプレイとの接触点を形成するのを検知させ、前記接触点が、該タッ
チセンシティブ・ディスプレイの第２の位置に移動するのを検知させ、
前記接触点の検知及び該接触点の移動の検知に応答して、前記タッチセンシティブ・デ
ィスプレイの前記第２の位置への前記第１のアイコンの移動を表示させ、該第１のアイコ
ンを該第２の位置に表示させる、
前記１つ又はそれ以上のプロセッサにより実行するように構成された命令をさらに含むこ
とを特徴とする、請求項２９に記載のコンピュータ・プログラム製品。
【請求項３７】
前記タッチセンシティブ・ディスプレイを有する前記電子装置によって実行されるとき
、前記装置に、
前記所定のユーザ・インターフェース再構成プロセスを終了するために、前記タッチセ
ンシティブ・ディスプレイに対する第２の所定のユーザ・アクションの検知に応答して、
前記第１のアイコンの位置を前記第２の位置に固定させる、
前記１つ又はそれ以上のプロセッサにより実行するように構成された命令をさらに含むこ
とを特徴とする、請求項３６に記載のコンピュータ・プログラム製品。
【請求項３８】
前記タッチセンシティブ・ディスプレイを有する前記電子装置によって実行されるとき
、前記装置に、
前記第１のアイコンの前記第２の位置が該第２のアイコンのそれぞれの初期位置と少な
くとも部分的に重なるとき、前記多数のアイコン内の第２のアイコンを、前記それぞれの
初期位置からそれぞれの新しい位置に移動させる、
前記１つ又はそれ以上のプロセッサにより実行するように構成された命令をさらに含むこ
とを特徴とする、請求項３６に記載のコンピュータ・プログラム製品。
【請求項３９】
前記タッチセンシティブ・ディスプレイを有する前記電子装置によって実行されるとき
、前記装置に、
ユーザが、前記多数のアイコン内の第１のアイコンに対応する第１の位置に前記タッチ
センシティブ・ディスプレイとの第１の接触点を形成するのを検知させ、前記第１の接触
点が、該タッチセンシティブ・ディスプレイ上の第２の領域内の第２の位置に移動するの
を検知させ、
前記第１の接触点の検知及び該第１の接触点の移動の検知に応答して、前記タッチセン
シティブ・ディスプレイの前記第２の位置への前記第１のアイコンの移動を表示し、該第
１のアイコンを該第２の位置に表示させる、
前記１つ又はそれ以上のプロセッサにより実行するように構成された命令をさらに含むこ
とを特徴とする、請求項２９にコンピュータ・プログラム製品。
【請求項４０】
前記タッチセンシティブ・ディスプレイを有する前記電子装置によって実行されるとき
、前記装置に、
ユーザが、前記タッチセンシティブ・ディスプレイ上の前記第２の領域内の第２の複数
のアイコンの第２のアイコンに対応する第３の位置に該タッチセンシティブ・ディスプレ
イとの第２の接触点を形成するのを検知させ、前記第２の接触点が、該タッチセンシティ
ブ・ディスプレイ上の前記第１の領域内の第４の位置に移動するのを検知させ、
前記第２の接触点の検知及び該第２の接触点の移動の検知に応答して、前記タッチセン
シティブ・ディスプレイの前記第４の位置への前記第２のアイコンの移動を表示し、該第
２のアイコンを該第４の位置に表示させる、
前記１つ又はそれ以上のプロセッサにより実行するように構成された命令をさらに含むこ
とを特徴とする、請求項３９にコンピュータ・プログラム製品。
【請求項４１】
前記タッチセンシティブ・ディスプレイを有する前記電子装置によって実行されるとき
、前記装置に、
前記所定のユーザ・インターフェース再構成プロセスを終了するために、前記タッチセ
ンシティブ・ディスプレイに対する第２の所定のユーザ・アクションの検知に応答して、
前記第１のアイコンの位置を前記第２の位置に、かつ、前記第２のアイコンの位置を第４
の位置に固定させる、
前記１つ又はそれ以上のプロセッサにより実行するように構成された命令をさらに含むこ
とを特徴とする、請求項４０にコンピュータ・プログラム製品。
【請求項４２】
前記タッチセンシティブ・ディスプレイを有する前記電子装置によって実行されるとき
、前記装置に、
前記第１のアイコンの前記新しい位置が前記第３のアイコンのそれぞれの初期位置と少
なくとも部分的に重なるとき、前記第２の複数のアイコン内の第３のアイコンを、前記そ
れぞれの初期位置からそれぞれの新しい位置に移動させる、
前記１つ又はそれ以上のプロセッサにより実行するように構成された命令をさらに含むこ
とを特徴とする、請求項３９にコンピュータ・プログラム製品。
【請求項４３】
タッチセンシティブ・ディスプレイを有する携帯用電子装置上のグラフィカル・ユーザ
・インターフェースであって、
前記タッチセンシティブ・ディスプレイ上の第１の領域内に表示される第１の複数のア
イコンを備え、
所定のユーザ・アクション再構成プロセスを開始するために、前記タッチセンシティブ
・ディスプレイに対する前記第１の所定のユーザ・アクションを検知し、
前記第１の所定のユーザ・アクションの検知に応答して、前記第１の複数のアイコンの
多数のアイコンの位置を変化させ、前記変化させることは、前記多数の各アイコンの前記
位置を、該多数のアイコンの他のアイコンのそれぞれの平均的位置とは異なるそれぞれの
平均的位置を中心として変化させることを含み、それぞれのアイコンの各々は、実質的に
前記それぞれのアイコンの前記それぞれの平均的位置を中心とした領域内で振動すること
を特徴とするグラフィカル・ユーザ・インターフェース。
【請求項４４】
前記多数のアイコンの位置を変化させることは、該多数のアイコンをアニメーション表
示し、前記タッチセンシティブ・ディスプレイの表面に対応する表面上での該多数のアイ
コンの浮動をシミュレートすることを含むことを特徴とする、請求項４３に記載のグラフ
ィカル・ユーザ・インターフェース。
【請求項４５】
前記アイコンのそれぞれのアイコンの位置を変化させることは、前記タッチセンシティ
ブ・ディスプレイと実質的に一致する面における運動方程式に対応し、前記運動方程式は
、閾値より小さい摩擦係数を有することを特徴とする、請求項４３に記載のグラフィカル
・ユーザ・インターフェース。
【請求項４６】
前記それぞれのアイコンについての前記運動方程式は、ゼロでない初期速度を有するこ
とを特徴とする、請求項４５に記載のグラフィカル・ユーザ・インターフェース。
【請求項４７】
前記それぞれのアイコンについての前記運動方程式は、該それぞれのアイコンの前記そ
れぞれの平均的位置の周りに復元力を有し、該それぞれのアイコンの前記位置は、実質的
に該それぞれのアイコンの該それぞれの平均的位置を中心とした領域内で振動することを
特徴とする、請求項４５に記載のグラフィカル・ユーザ・インターフェース。
【請求項４８】
前記それぞれのアイコンについての前記運動方程式は、ゼロでない角速度を含むことを
特徴とする、請求項４５に記載のグラフィカル・ユーザ・インターフェース。
【請求項４９】
前記それぞれのアイコンは、前記タッチセンシティブ・ディスプレイに対して一定の配
向を維持しながら、該それぞれのアイコンの前記それぞれの平均的位置を中心として回転
することを特徴とする、請求項４８に記載のグラフィカル・ユーザ・インターフェース。
【請求項５０】
ユーザが、前記多数のアイコン内の第１のアイコンに対応する第１の位置に前記タッチ
センシティブ・ディスプレイとの接触点を形成するのを検知し、前記接触点が、該タッチ
センシティブ・ディスプレイの第２の位置に移動するのを検知し、
前記接触点の検知及び該接触点の移動の検知に応答して、前記タッチセンシティブ・デ
ィスプレイの前記第２の位置への前記第１のアイコンの移動を表示し、該第１のアイコン
を該第２の位置に表示する、
ことをさらに含むことを特徴とする、請求項４３に記載のグラフィカル・ユーザ・インタ
ーフェース。
【請求項５１】
前記所定のユーザ・インターフェース再構成プロセスを終了するために、前記タッチセ
ンシティブ・ディスプレイに対する第２の所定のユーザ・アクションの検知に応答して、
前記第１のアイコンの位置を前記第２の位置に固定することをさらに含むことを特徴とす
る、請求項５０に記載のグラフィカル・ユーザ・インターフェース。
【請求項５２】
前記第１のアイコンの前記第２の位置が該第２のアイコンのそれぞれの初期位置と少な
くとも部分的に重なるとき、前記多数のアイコン内の第２のアイコンを、前記それぞれの
初期位置からそれぞれの新しい位置に移動させることをさらに含むことを特徴とする、請
求項５０に記載のグラフィカル・ユーザ・インターフェース。
【請求項５３】
ユーザが、前記多数のアイコン内の第１のアイコンに対応する第１の位置に前記タッチ
センシティブ・ディスプレイとの第１の接触点を形成するのを検知し、前記第１の接触点
が、該タッチセンシティブ・ディスプレイ上の第２の領域内の第２の位置に移動するのを
検知し、
前記第１の接触点の検知及び該第１の接触点の移動の検知に応答して、前記タッチセン
シティブ・ディスプレイの前記第２の位置への前記第１のアイコンの移動を表示し、該第
１のアイコンを該第２の位置に表示する、
ことをさらに含むことを特徴とする、請求項４３に記載のグラフィカル・ユーザ・インタ
ーフェース。
【請求項５４】
ユーザが、前記タッチセンシティブ・ディスプレイ上の前記第２の領域内の第２の複数
のアイコンの第２のアイコンに対応する第３の位置に該タッチセンシティブ・ディスプレ
イとの第２の接触点を形成するのを検知し、前記第２の接触点が、該タッチセンシティブ
・ディスプレイ上の前記第１の領域内の第４の位置に移動するのを検知し、
前記第２の接触点の検知及び該第２の接触点の移動の検知に応答して、前記タッチセン
シティブ・ディスプレイの前記第４の位置への前記第２のアイコンの移動を表示し、該第
２のアイコンを該第４の位置に表示する、
ことをさらに含むことを特徴とする、請求項５３に記載のグラフィカル・ユーザ・インタ
ーフェース。
【請求項５５】
前記所定のユーザ・インターフェース再構成プロセスを終了するために、前記タッチセ
ンシティブ・ディスプレイに対する第２の所定のユーザ・アクションの検知に応答して、
前記第１のアイコンの位置を前記第２の位置に、かつ、前記第２のアイコンの位置を前記
第４の位置に固定することをさらに含むことを特徴とする、請求項５４に記載のグラフィ
カル・ユーザ・インターフェース。
【請求項５６】
前記第１のアイコンの新しい位置が第３のアイコンのそれぞれの初期位置と少なくとも
部分的に重なるとき、前記第２の複数のアイコンの第３のアイコンを、前記それぞれの初
期位置からそれぞれの新しい位置に移動させることをさらに含むことを特徴とする、請求
項５３に記載のグラフィカル・ユーザ・インターフェース。
【請求項５７】
タッチセンシティブ・ディスプレイを有する携帯用電子装置において、
前記タッチセンシティブ・スクリーン上の第１の領域内に第１の複数のアイコンを表示
し、
所定のユーザ・インターフェース再構成プロセスを開始するために、前記タッチセンシ
ティブ・ディスプレイに対する第１の所定のユーザ・アクションを検知し、
前記第１の所定のユーザ・アクションの検知に応答して、前記第１の複数のアイコンの
多数のアイコンの位置を変化させる、
ことを含み、前記変化させることは、前記多数のアイコンの各アイコンの前記位置を、該
多数のアイコンの他のアイコンのそれぞれの平均的位置とは異なるそれぞれの平均的位置
を中心として変化させることを含み、それぞれのアイコンの各々は、実質的に前記それぞ
れのアイコンの前記それぞれの平均的位置を中心とした領域内で振動することを特徴とす
る、コンピュータにより実施される方法。
【請求項５８】
前記変化させることは、前記多数のアイコンをアニメーション表示し、前記タッチセン
シティブ・ディスプレイの表面に対応する表面上での該多数のアイコンの浮動をシミュレ
ートすることを含むことを特徴とする、請求項５７に記載のコンピュータにより実施され
る方法。
【請求項５９】
前記アイコンのそれぞれのアイコンの位置を変化させることは、前記タッチセンシティ
ブ・ディスプレイと実質的に一致する面における運動方程式に対応し、前記運動方程式は
、閾値より小さい摩擦係数を有することを特徴とする、請求項５７に記載のコンピュータ
により実施する方法。
【請求項６０】
前記それぞれのアイコンについての前記運動方程式は、ゼロでない初期速度を有するこ
とを特徴とする、請求項５９に記載のコンピュータにより実施される方法。
【請求項６１】
前記それぞれのアイコンについての前記運動方程式は、該それぞれのアイコンの前記そ
れぞれの平均的位置の周りに復元力を有し、該それぞれのアイコンの前記位置は、実質的
に該それぞれのアイコンの該それぞれの平均的位置を中心とした領域内で振動することを
特徴とする、請求項５９に記載のコンピュータにより実施される方法。
【請求項６２】
前記それぞれのアイコンについての前記運動方程式は、ゼロでない角速度を含むことを
特徴とする、請求項５９に記載のコンピュータにより実施される方法。
【請求項６３】
前記それぞれのアイコンは、前記タッチセンシティブ・ディスプレイに対して一定の配
向を維持しながら、該それぞれのアイコンの前記それぞれの平均的位置を中心として回転
することを特徴とする、請求項６２に記載のコンピュータにより実施される方法。
【請求項６４】
ユーザが、前記多数のアイコン内の第１のアイコンに対応する第１の位置に前記タッチ
センシティブ・ディスプレイとの第１の接触点を形成するのを検知し、前記接触点が、該
タッチセンシティブ・ディスプレイの第２の位置に移動するのを検知し、
前記接触点の検知及び該接触点の移動の検知に応答して、前記タッチセンシティブ・デ
ィスプレイの前記第２の位置への前記第１のアイコンの移動を表示し、該第１のアイコン
を該第２の位置に表示する、
ことをさらに含むことを特徴とする、請求項５７に記載のコンピュータにより実施される
方法。
【請求項６５】
前記所定のユーザ・インターフェース再構成プロセスを終了するために、前記タッチセ
ンシティブ・ディスプレイに対する第２の所定のユーザ・アクションの検知に応答して、
前記第１のアイコンの位置を前記第２の位置に固定することをさらに含むことを特徴とす
る、請求項６４に記載のコンピュータにより実施される方法。
【請求項６６】
前記第１のアイコンの前記第２の位置が該第２のアイコンのそれぞれの初期位置と少な
くとも部分的に重なるとき、前記多数のアイコン内の第２のアイコンを、前記それぞれの
初期位置からそれぞれの新しい位置に移動させることをさらに含むことを特徴とする、請
求項６４に記載のコンピュータにより実施される方法。
【請求項６７】
ユーザが、前記多数のアイコン内の第１のアイコンに対応する第１の位置に前記タッチ
センシティブ・ディスプレイとの第１の接触点を形成するのを検知し、前記第１の接触点
が、該タッチセンシティブ・ディスプレイ上の第２の領域内の第２の位置に移動するのを
検知し、
前記第１の接触点の検知及び該第１の接触点の移動の検知に応答して、前記タッチセン
シティブ・ディスプレイの前記第２の位置への前記第１のアイコンの移動を表示し、該第
１のアイコンを該第２の位置に表示する、
ことをさらに含むことを特徴とする、請求項５７に記載のコンピュータにより実施される
方法。
【請求項６８】
ユーザが、前記タッチセンシティブ・ディスプレイ上の前記第２の領域内の第２の複数
のアイコンの第２のアイコンに対応する第３の位置に該タッチセンシティブ・ディスプレ
イとの第２の接触点を形成するのを検知し、前記第２の接触点が、該タッチセンシティブ
・ディスプレイ上の前記第１の領域内の第４の位置に移動するのを検知し、
前記第２の接触点の検知及び該第２の接触点の移動の検知に応答して、前記タッチセン
シティブ・ディスプレイの前記第４の位置への前記第２のアイコンの移動を表示し、該第
２のアイコンを該第４の位置に表示する、
ことをさらに含むことを特徴とする、請求項６７に記載のコンピュータにより実施される
方法。
【請求項６９】
前記所定のユーザ・インターフェース再構成プロセスを終了するために、前記タッチセ
ンシティブ・ディスプレイに対する第２の所定のユーザ・アクションの検知に応答して、
前記第１のアイコンの位置を前記第２の位置に、かつ、前記第２のアイコンの位置を前記
第４の位置に固定することをさらに含むことを特徴とする、請求項６８に記載のコンピュ
ータにより実施される方法。
【請求項７０】
前記第１のアイコンの新しい位置が第３のアイコンのそれぞれの初期位置と少なくとも
部分的に重なるとき、前記第２の複数のアイコン内の第３のアイコンを、前記それぞれの
初期位置からそれぞれの新しい位置に移動させることをさらに含むことを特徴とする、請
求項６７に記載のコンピュータにより実施される方法。
【発明の詳細な説明】
【技術分野】
【０００１】
開示された実施形態は、ユーザ・インターフェースに関し、より特定的には、タッチセ
ンシティブ・ディスプレイを使用し、インターフェース再構成モードを含む、ユーザ・イ
ンターフェースに関する。
（関連特許）
本出願は、引用によりその全体をここに組み入れる、２００５年１２月３０日付で出願
された「Ｐｏｒｔａｂｌｅ  Ｅｌｅｃｔｒｏｎｉｃ  Ｄｅｖｉｃｅ  ｗｉｔｈ  Ｉｎｔｅ
ｒｆａｃｅ  Ｒｅｃｏｎｆｉｇｕｒａｔｉｏｎ  Ｍｏｄｅ」という名称の米国特許仮出願
番号第６０／７５５，３６８号に基づく優先権を主張するものである。
【背景技術】
【０００２】
携帯用装置がよりコンパクトになり、処理され格納される情報量が増大するに従って、
ユーザが装置と簡単に対話することを可能にするユーザ・インターフェースを設計するこ
とが重大な課題になった。ユーザ・インターフェースは、これを通して、ユーザが、コン
テンツだけでなく、装置の機能又はツールにアクセスしようとするユーザの試みを含むユ
ーザ・アクション又は動作への応答も受け取るゲートウェイであることから、これは残念
なことである。一部の携帯用電子装置（例えば、携帯電話）は、より多くのプッシュボタ
ンを付加すること、プッシュボタンの機能を搭載しすぎること、又は、ユーザがデータに
アクセスし、格納し、操作するのを可能にするために複雑なメニュー・システムを用いる
ことに頼ってきた。これらの従来のユーザ・インターフェースは、多くの場合、ユーザが
記憶しなければならない煩雑なキー・シーケンス及びメニューの階層をもたらす。
【発明の概要】
【発明が解決しようとする課題】
【０００３】
物理的プッシュボタンを含むもののような多くの従来のユーザ・インターフェースも、
柔軟性がない。このことは、携帯用装置上で実行されているアプリケーション又はユーザ
のいずれかによってユーザ・インターフェースを構成及び／又は適合することを防止する
ことがあるため、残念なことである。多数のキー・シーケンス及び／又はメニュー階層を
記憶するための時間のかかる要件と相まったとき、こうした柔軟性のなさは、多くのユー
ザにとって苛立たしいことである。
【０００４】
一部の従来のユーザ・インターフェースは、ユーザによって構成することが可能であり
、これにより、少なくとも部分的なカスタマイズ化が可能になる。残念なことに、こうし
た従来のユーザ・インターフェースを修正するプロセスは、多くの場合、従来のユーザ・
インターフェース自体の使用と同じくらい面倒で複雑なものである。特に、このような従
来のユーザ・インターフェースを構成する際に必要とされる動作は、反直感的なものであ
ることが多く、ユーザ・アクションを案内する対応するインジケータは、分かりにくいこ
とが多い。これらの問題は、ユーザにとって更なる苛立ちの原因となることが多い。
【０００５】
従って、ユーザがユーザ・インターフェースを構成することを可能にする、携帯用装置
のためのよりトランスペアレントで直感的なユーザ・インターフェースに対する必要性が
存在する。
【課題を解決するための手段】
【０００６】
携帯用装置についてのユーザ・インターフェースと関連した上記の欠点及び他の問題は
、ユーザが、表示されたグラフィカル・オブジェクトを直感的に再配置するのを可能にす
るインターフェース再構成モードを含む、開示された携帯用電子装置により低減される、
又は排除される。
【０００７】
本発明の１つの態様は、携帯用電子装置が、タッチセンシティブ・ディスプレイの第１
の領域内に第１の複数アイコン（例えば、グラフィカル・オブジェクト）を表示し、所定
のユーザ・インターフェース再構成プロセスを開始するために、タッチセンシティブ・デ
ィスプレイに対する第１の所定のユーザ・アクションを検知し、第１の所定のユーザ・ア
クションの検知に応答して、第１の複数アイコン内の１つ又はそれ以上のアイコンの位置
を変化させる方法である。変化させることは、１つ又はそれ以上のアイコンの位置を、そ
れぞれの平均的位置を中心として変化させることを含む。
【０００８】
変化させることは、１つ又はそれ以上のアイコンをアニメーション表示し、タッチセン
シティブ・ディスプレイの表面に対応する表面において１つ又はそれ以上のアイコンの浮
動をシミュレートすることを含むことができる。
【０００９】
１つ又はそれ以上のアイコン内のそれぞれのアイコンの位置を変化させることは、タッ
チセンシティブ・ディスプレイと実質的に一致する平面における運動方程式に対応するこ
とができる。運動方程式は、閾値より小さい摩擦係数、それぞれのアイコンに関するゼロ
でない初期速度、ゼロでない角速度、及び／又はそれぞれのアイコンのそれぞれの平均的
位置の周りの復元力を有するので、それぞれのアイコンの位置は、実質的にそれぞれのア
イコンのそれぞれの平均的位置を中心とした領域内で振動することができる。幾つかの実
施形態においては、それぞれのアイコンは、タッチセンシティブ・ディスプレイに対して
一定の配向を維持しながら、それぞれのアイコンのそれぞれの平均的位置を中心として回
転する。
【００１０】
幾つかの実施形態においては、この方法は、１つ又はそれ以上のアイコン内の第１のア
イコンに対応する第１の位置における、タッチセンシティブ・ディスプレイとの接触点の
形成を検知し、接触点がタッチセンシティブ・ディスプレイの第２の位置に移動するのを
検知するステップと、接触点の検知と、第１のアイコンがタッチセンシティブ・ディスプ
レイの第２の位置に移動するのを表示することによる接触点の移動の検知とに応答して、
第１のアイコンを第２の位置に表示するステップとをさらに含む。
【００１１】
第１のアイコンの第２の位置が第２のアイコンのそれぞれの初期位置と少なくとも部分
的に重なるとき、１つ又はそれ以上のアイコン内の第２のアイコンを、それぞれの初期位
置からそれぞれの新しい位置に移動させることができる。所定のユーザ・インターフェー
ス再構成プロセスを終了するために、タッチセンシティブ・ディスプレイに対する第２の
所定のユーザ・アクションの検知に応答して、第１のアイコンを第２の位置に固定するこ
とができる。
【００１２】
上述の方法は、グラフィカル・ユーザ・インターフェース（ＧＵＩ）、１つ又はそれ以
上のプロセッサ、メモリ、及び、これらの方法を実行するための、メモリに格納された１
つ又はそれ以上のモジュール、プログラム、又は命令の組を備えた、タッチセンシティブ
・ディスプレイを有する携帯用電子装置によって実行することができる。幾つかの実施形
態においては、携帯用電子装置は、無線通信を含む複数の機能を提供する。
上述の方法を実行するための命令は、１つ又はそれ以上のプロセッサにより実行するよ
うに構成されたコンピュータ・プログラム製品内に含ませることができる。
【図面の簡単な説明】
【００１３】
【図１】携帯用電子装置に関する位置調整プロセスの一実施形態のフロー図である。
【図２Ａ】１つ又はそれ以上のアイコンの位置を調整するための、タッチ入力に反応する携帯用電子装置の一実施形態の図である。
【図２Ｂ】１つ又はそれ以上のアイコンの位置を調整するための、タッチ入力に反応する携帯用電子装置の一実施形態の図である。
【図２Ｃ】１つ又はそれ以上のアイコンの位置を調整するための、タッチ入力に反応する携帯用電子装置の一実施形態の図である。
【図２Ｄ】１つ又はそれ以上のアイコンの位置を調整するための、タッチ入力に反応する携帯用電子装置の一実施形態の図である。
【図２Ｅ】１つ又はそれ以上のアイコンの位置を調整するための、タッチ入力に反応する携帯用電子装置の一実施形態の図である。
【図３Ａ】１つ又はそれ以上のアイコンの位置を調整するための、タッチ入力に反応する携帯用電子装置の一実施形態の図である。
【図３Ｂ】１つ又はそれ以上のアイコンの位置を調整するための、タッチ入力に反応する携帯用電子装置の一実施形態の図である。
【図４】携帯用電子装置の一実施形態のブロック図である。
【発明を実施するための形態】
【００１４】
上述された本発明の実施形態及びその付加的な実施形態をより良く理解するために、図
面全体にわたって同様の参照番号が対応する部品を指す以下の図面と併せて、下記の実施
形態の説明を参照すべきである。
ここで、添付図面内にその例を示す実施形態を詳細に参照する。以下の詳細な説明にお
いて、本発明の完全な理解を提供するために、多数の特定の細部を説明する。しかしなが
ら、これらの特定の細部なしで本発明を実施し得ることが、当業者には明らかであろう。
他の例においては、実施形態の態様を不必要に分かりにくくしないように、周知の方法、
手順、コンポーネント、及び回路を詳細には説明しなかった。
【００１５】
インターフェース再構成モードの概要
グラフィカル・ユーザ・インターフェース（ＧＵＩ）を有する、携帯通信用装置を含む
携帯用電子装置の実施形態に注意が向けられる。携帯用装置は、インターフェース再構成
モードを含む。ユーザがインターフェース再構成モードを開始するのに応答して、携帯用
装置上に表示された１つ又はそれ以上のアイコンの位置を、それぞれの平均的位置を中心
として変化させることができる。１つ又はそれ以上のアイコンの位置を変化させることは
、１つ又はそれ以上のアイコンをアニメーション表示し、携帯用装置内のディスプレイ面
に対応する表面において１つ又はそれ以上のアイコンの浮動をシミュレートすることを含
むことができる。ディスプレイは、１つ又はそれ以上の接触点における、スタイラス或い
は１又はそれ以上の指による物理的接触に応答するタッチセンシティブ・ディスプレイと
することができる。以下の実施形態を他のタイプのディスプレイに等しく適用することが
できるが、説明に役立つ実例として、タッチセンシティブ・ディスプレイが用いられる。
【００１６】
１つ又はそれ以上のアイコンの位置を変化させることは、ユーザに対して、１つ又はそ
れ以上のアイコンの位置をユーザにより再構成できることを直感的に示すことができる。
ユーザは、１つ又はそれ以上のアイコンの位置を修正し、適合させ、及び／又は再構成す
ることができる。携帯用装置がタッチセンシティブ・ディスプレイを含む実施形態におい
て、ユーザは、第１の位置において、それぞれのアイコンに最も近いタッチセンシティブ
・ディスプレイに接触することができる。タッチセンシティブ・ディスプレイと接触する
と、それぞれのアイコンは、その位置を変化させるのを中止する。ユーザは、それぞれの
アイコンを第２の位置にドラッグすることができる。タッチセンシティブ・ディスプレイ
との接触を断つと同時に、それぞれのアイコンは位置の変化を再開することができる。幾
つかの実施形態において、それぞれのアイコンを「スローする（ｔｈｒｏｗ）」ことがで
きるので、それぞれのアイコンの最終位置は、そのアイコンがリリースされた地点とは異
なる。この実施形態において、最終位置は、「スロー」の速度、「スロー」に関するシミ
ュレートされた運動方程式において用いられるパラメータ（例えば、摩擦係数）、及び／
又はシミュレートされた引力を有するレイアウト・グリッドの存在といった、種々の要因
によって決まり得る。幾つかの実施形態においては、ディスプレイは、２つの領域を含む
ことができる。インターフェース再構成モードの際、第１の領域内に表示された１つ又は
それ以上のアイコンの位置を変化させる一方、第２の領域内に表示された１つ又はそれ以
上のアイコンの位置を固定したままにすることができる。
【００１７】
インターフェース再構成モードの際、ユーザは、付加的なアイコンの位置を修正し、適
合させ、及び／又は再構成することができる。ユーザがこのような変更を完了したとき（
少なくとも当面の間）、ユーザは、インターフェース再構成モードを終了することができ
る。このユーザ・アクションに応答して、携帯用装置は、通常の操作モードに戻ることが
でき、表示された１つ又はそれ以上のアイコンの位置を変化させるのを中止する。
【００１８】
携帯用装置上の１つ又はそれ以上の適切な物理的ボタンを選択することによって、ジェ
スチャ（タッチセンシティブ・ディスプレイを横切って１つ又はそれ以上の指を接触し、
強打（ｓｗｉｐｅ）し、或いは、接触して所定の期間より長く保持するなど）によって、
及び／又は、１つ又はそれ以上のソフト・ボタン（タッチセンシティブ・ディスプレイ上
に表示された１つ又はそれ以上のアイコンのような）を選択することによって、ユーザは
、インターフェース再構成プロセスを開始又は終了することができる。ここで用いられる
ジェスチャとは、タッチスクリーンの表示面に接触するオブジェクト／アペンデージ（ａ
ｐｐｅｎｄａｇｅ）の動きである。幾つかの実施形態においては、インターフェース再構
成プロセスは、インターフェース再構成プロセスが開始された後、所定の時間で終了する
、即ち時間制限が存在する。
【００１９】
携帯用装置上に表示された１つ又はそれ以上のアイコンは、グラフィカル・オブジェク
トとすることができる。幾つかの実施形態においては、１つ又はそれ以上のアイコンは、
バー、ボタン、及びテキスト・ボックスといった、ユーザにより操作することができる制
御の画面上での表示を構成する状態及び手続きの組み合わせであるウィジェットとするこ
とができる。例示的な実施形態において、１つ又はそれ以上のアイコンは、関心あるアイ
コンに最も近いタッチセンシティブ・ディスプレイに接触することによって、ユーザによ
り選択することができるアプリケーション・プログラム（電子メール、ブラウザ、アドレ
ス帳等）に対応する。
【００２０】
図１は、携帯用電子装置のための位置調整プロセス１００の一実施形態のフロー図であ
る。下記に説明される位置調整プロセス１００は、特定の順序で行なわれるように見える
多数の操作を含むが、プロセス１００は、連続的に又は並行して（例えば、並列プロセッ
サ又はマルチスレッド環境を用いて）実行することができるより多くの又はより少ない操
作を含むことができ、２つ又はそれ以上の操作の順序を変えてもよく、及び／又は、２つ
又はそれ以上の操作を組み合わせて単一の操作にしてもよいことが明らかである。
【００２１】
位置調整プロセス１００において、タッチセンシティブ・ディスプレイのＧＵＩ内に複
数のアイコンが表示される（１１０）。インターフェース再構成プロセスを開始する第１
の所定のユーザ・アクションが検知される（１１２）。例示的な所定のユーザ・アクショ
ンは、携帯用装置上の物理的ボタンを選択すること、タッチスクリーンの表示面上で所定
のジェスチャを行うこと、又はソフト・ボタンを選択することを含む。複数の表示された
アイコンの１つ又はそれ以上の位置が変えられる（１１４）。それぞれのアイコンの第１
の位置におけるタッチセンシティブ・ディスプレイとの接触点が検知される（１１６）。
第２の位置への接触点の移動が検知される（１１８）。第２の位置へのそれぞれのアイコ
ンの移動が表示され、第２の位置においてそれぞれのアイコンが表示される（１２０）。
【００２２】
インターフェース再構成プロセスを終了させる第２の所定のユーザ・アクションが検知
された場合には（１２２のイエス）、１つ又はそれ以上のアイコンの位置が固定される（
１２４）。例示的な所定のユーザ・アクションは、携帯用装置上の物理的ボタンを選択又
は選択解除すること、タッチスクリーンの表示面上で別の所定のジェスチャを行うこと、
或いはソフト・ボタンを選択又は選択解除することを含む。固定された位置は、１つ又は
それ以上のアイコンに関するそれぞれの平均的位置に対応することができる。インターフ
ェース再構成プロセスを終了させる第２の所定のユーザ・アクションが検知されなかった
場合には（１２２のＮｏ）、プロセスは、同じ又は別のアイコンに最も近い接触点が検知
されたときに継続することができる（１１６）。
【００２３】
図２Ａは、１つ又はそれ以上のアイコンの位置を調整するためのタッチ入力に応答する
携帯用電子装置２００の一実施形態の図である。携帯用電子装置２００は、ＧＵＩ２１０
を有するタッチセンシティブ・ディスプレイを含む。ユーザに種々のグラフィカル・オブ
ジェクト（例えば、ウィジェット）を表示できるように、ディスプレイ面は透明である。
幾つかの実施形態において、ＧＵＩ２１０は、多数のセクション又はウィンドウに分割さ
れる。例えば、ＧＵＩ２１０の領域２１２は、ユーザが頻繁に使用する機能（例えば、ビ
デオ、天気、スケジュール、ゲーム、音楽等）を表すアイコン即ちグラフィカル・オブジ
ェクト２２２を保持するためのトレイ２１６と、ユーザがあまり頻繁に使用しない機能（
例えば、電子メール、アドレス帳、ブラウザ等）を表すアイコン即ちグラフィカル・オブ
ジェクト２２０を保持するためのトレイ２１４とを含むことができる。ＧＵＩ２１０はま
た、携帯用電子装置２００の高レベルの機能に対応するグラフィカル・オブジェクトを含
むこともできる。例えば、メニューボタン２４０を押すことにより、ＧＵＩ２１０内に種
々のオブジェクト及び／又は画像を提示し、変更することができる。携帯電話を含む実施
形態においては、ＧＵＩ２１０内に専用のグラフィカル・オブジェクトを提示し、通常の
音声データ・サービス操作（例えば、保留、クリア等）を表すことができる。
【００２４】
ユーザは、スタイラス、指２１８（図２では縮尺通りに描かれていない）、又は１本よ
り多い指を用いて、ＧＵＩ２１０を有するディスプレイ面に接触することによって、携帯
用通信装置２００と対話することができる。例えば、ユーザは、アイコン２２２の１つの
位置においてディスプレイ面に接触し（直接的な接触）、これにより、そのアイコンに対
応する機能又はアプリケーション・プログラムを作動させることができる。幾つかの実施
形態においては、ユーザが、アイコンの位置で接触し、次いで、接触を断つ（例えば、軽
く叩く（ｔａｐｐｉｎｇ）ジェスチャ)とき、アイコン２２２が作動される。幾つかの実
施形態においては、アイコンを作動させるために用いられるディスプレイ面との接触は、
アイコン２２２の位置での接触でなくてもよい。代わりに、アイコン２２２のすぐ近くで
接触してもよい（間接的な接触）。後者の技術は、ウェブページ及び他のコンピュータ・
ユーザ・インターフェースと共に用いられる「ホット・スポット」に類似している。
【００２５】
図２Ｂ−図２Ｄは、インターフェース再構成モード中の携帯用電子装置２００を示す。
インターフェース再構成モードを開始した後、トレイ２１６内のアイコン２２２の１つ又
はそれ以上の表示が、前の静止位置から、時間変動（ｔｉｍｅ−ｖａｒｙｉｎｇ）位置に
修正される。前述のように、表示は、アイコン２２２の１つ又はそれ以上をアニメーショ
ン表示し、ディスプレイ面に対応する面上のアイコン２２２の１つ又はそれ以上の浮動を
シミュレートすることを含むことができる。例えば、インターフェース再構成モード中の
、アイコン２２２の１つ又はそれ以上の位置のアニメーション表示された変化は、エアホ
ッケー・ゲームにおけるホッケー・パックに似ている。アイコン２２２内のそれぞれのア
イコンの表示位置は、それぞれのアイコンの平均的位置を中心として領域２２４内で変化
させることができる。
【００２６】
図２Ｂ−図２Ｄは、トレイ２１６内のアイコン２２２の１つ又はそれ以上の移動を示す
が、他の実施形態においては、トレイ２１４のような、ＧＵＩ２１０の別の領域内のアイ
コン２２０の１つ又はそれ以上の位置を、トレイ２１６内の１つ又はそれ以上の位置とは
別個に、又はこれに加えて変化させることができる。
【００２７】
アイコン２２２の１つ又はそれ以上の時間変動位置は、アイコン２２２の１つ又はそれ
以上の位置を修正できることを、ユーザに直感的に示す。これは、インターフェース再構
成モード中の携帯用電子装置２００を示す図２Ｃ−図２Ｄに示されている。ユーザは、位
置２２６で移動しているアイコンの１つに、直接的又は間接的に接触し、ＧＵＩ２１０を
有する表示面にわたって接触点を移動させる。この接触と運動は、携帯用電子装置２００
によって検知される。その結果、この例ではゲームに対応する表示されたアイコンは、そ
れに応じて移動させられる。
【００２８】
図２Ｄに示されるように、ユーザは、ゲーム・アイコンを位置２２８に移動させ、表示
面との接触を断つ。ゲーム・アイコンは、今や位置２２８に表示される。図２Ｄにおいて
、ゲーム・アイコンの表示された位置は、静止したものとして示されるが、幾つかの実施
形態においては、ユーザが表示面との接触を断つと同時に、ゲーム・アイコンの位置を変
化させることができる。幾つかの実施形態においては、インターフェース再構成モード中
、ＧＵＩ２１０の１つ又はそれ以上のサブセクション内に表示されたアイコンのみが、位
置が変化する状態で表示される。従って、ゲーム・アイコンがトレイ２２２内の別の位置
にドラッグされた場合、ユーザが表示との接触を断った後、位置変化状態でゲーム・アイ
コンを表示することができる。幾つかの実施形態においては、アイコンが新しい位置に移
動されたとき、装置が、可聴チャイム及び／又は振動のような音声及び／又は触知による
フィードバックを与えることができる。
【００２９】
図２Ｄはまた、ブラウザ・アイコンを随意的に位置２３０に移動させることも示す。ゲ
ーム・アイコンと少なくとも部分的に重なるために、ブラウザ・アイコンが、初期位置２
２８から新しい位置２３０に移動された、即ち、ユーザがブラウザ・アイコンの上にゲー
ム・アイコンを配置したと携帯用電子装置２００が判断したとき、ブラウザ・アイコンの
表示される位置が変えられた。
【００３０】
他の実施形態においては、音楽アイコンなどの付加的なアイコンがトレイ２１４に付加
されたとき、１つのアイコンをトレイ２１４から追い出すか又は除去することができる。
例えば、トレイ２１４は、４つのアイコンといった有限数のアイコンを収容するように構
成することができる。付加的なアイコンがトレイ２１４に付加された場合、付加的なアイ
コンに最も近いアイコン、又は付加的なアイコンに少なくとも部分的に重なるアイコンを
、トレイ２１４から追い出す又は除去することができる。幾つかの実施形態においては、
追い出されたアイコンは、トレイ２１４内の位置からトレイ２１６内の新しい位置に浮動
するか又は素早く動き、そこでソートされたアイコン・リストに加わることができる。幾
つかの実施形態においては、追い出しプロセスが完了しなかった場合（例えば、付加的な
アイコンがトレイ２１４に付加されない）、追い出されたアイコンは、トレイ２１６内の
新しい位置に向かって進むのを中止し、トレイ２１４内の位置に戻ることができる。
【００３１】
図２Ｅは、インターフェース再構成モードが終了された後、又は（時間切れにより）終
了した後の携帯用電子装置２００を示す。ＧＵＩ２１０内のアイコンは、静止した位置に
ある。ゲーム・アイコン及びブラウザ・アイコンは、トレイ２１４内の新しい位置に表示
されている。
【００３２】
アイコン２２２の１つ又はそれ以上の位置変化のような、インターフェース再構成モー
ド中のアニメーション表示された効果は、ＧＵＩ２１０を有する表示面と実質的に一致す
る面内のアイコンの１つ又はそれ以上についての対応する運動方程式に従ったものにする
ことができる。運動方程式は、閾値より小さい摩擦係数を有することができ、アイコンの
１つ又はそれ以上の浮動又は摺動のシミュレーション及び／又はアニメーション表示を可
能にする。それぞれのアイコンについての運動方程式は、ゼロでない初期速度、ゼロでな
い角速度、及び／又は、それぞれのアイコンのそれぞれの平均的位置の周りの復元力を有
することができ、それぞれのアイコンの位置は、それぞれのアイコンのそれぞれの平均的
位置をほぼ中心にして、領域２２４（図２Ｄ）内で振動する。
【００３３】
幾つかの実施形態においては、ＧＵＩ２１０及び携帯用電子装置２００に対して一定の
配向を維持しながら、それぞれのアイコンが、該それぞれのアイコンのそれぞれの平均的
位置を中心として回転するように、インターフェース再構成モード中、それぞれのアイコ
ンの位置を変化させることができる。これは、インターフェース再構成モード中の携帯用
電子装置２００を示す図３Ａ及び図３Ｂに示されている。この例では、領域２２４におい
て一定の配向を維持するように、トレイ２１６内のビデオ・アイコン２２２の位置が変化
される。このことにより、インターフェース再構成モード中、ユーザが、それぞれのアイ
コンの機能を判断することがより容易になる。
【００３４】
携帯用電子装置アーキテクチャ
ここで、携帯用電子装置アーキテクチャの実施形態に注意が向けられる。図４は、携帯
用電子装置の一実施形態のブロック図である。携帯用電子装置４００は、一般に、１つ又
はそれ以上のコンピュータ可読媒体４０２と、処理システム４０４と、入力／出力（Ｉ／
Ｏ）サブシステム４０６と、無線周波数（ＲＦ）回路４０８と、音声回路４１０とを含む
。これらのコンポーネントは、１つ又はそれ以上の通信バス即ち信号ライン４０３によっ
て、結合させることができる。装置４００は、これらに限られるものではないが、手持ち
式コンピュータ、タブレット・コンピュータ、携帯電話、メディア・プレイヤー、携帯情
報端末（ＰＤＡ）、及びこれらの品目の２つ又はそれ以上の組み合わせを含むその他同種
類のもの等などの、何らかの携帯用電子装置とすることができる。
【００３５】
図４に示されるアーキテクチャは携帯用電子装置４００に関するアーキテクチャの一例
にすぎないこと、及び、装置４００は示されたものよりも多い又は少ないコンポーネント
、或いは異なるコンポーネント構成を持ち得ることが明らかである。図４に示される種々
のコンポーネントは、１つ又はそれ以上の信号処理回路及び／又は特定用途向け集積回路
を含む、ハードウェア、ソフトウェア、又はハードウェア及びソフトウェアの両方の組み
合わせにおいて実装することができる。ＲＦ回路４０８は、無線リンク又はネットワーク
によって、１つ又はそれ以上の他の装置との間で情報を送受信するために用いられ、これ
らに限られるものではないが、アンテナ・システム、ＲＦ送受信機、１つ又はそれ以上の
増幅器、チューナ、１つ又はそれ以上のオシレータ、デジタル信号プロセッサ、ＣＯＤＥ
Ｃチップセット、メモリ等を含む、この機能を実行するための周知の回路を含む。幾つか
の実施形態においては、ＲＦ回路４０８は、これらに限られるものではないが、時分割多
元接続（ＴＤＭＡ）、符号分割多元接続（ＣＤＭＡ）、ｇｌｏｂａｌ  ｓｙｓｔｅｍ  ｆ
ｏｒ  ｍｏｂｉｌｅ  ｃｏｍｍｕｎｉｃａｔｉｏｎｓ（ＧＳＭ（登録商標））、Ｅｎｈａｎｃｅｄ  Ｄ
ａｔａ  ＧＳＭ（登録商標）  Ｅｎｖｉｒｏｎｍｅｎｔ（ＥＤＧＥ）、広域符号分割多元接続（Ｗ−Ｃ
ＤＭＡ）、Ｗｉ−Ｆｉ（ＩＥＥＥ８０２．１１ａ、ＩＥＥＥ８０２．１１ｂ、ＩＥＥＥ８
０２．１１ｇ、及び／又はＩＥＥＥ８０２．１１ｎのような）、Ｂｌｕｅｔｏｏｔｈ（登録商標）、Ｗ
ｉ−ＭＡＸ、ｖｏｉｃｅ  ｏｖｅｒ  Ｉｎｔｅｒｎｅｔ  Ｐｒｏｔｏｃｏｌ（ＶｏＩＰ）
、電子メールのためのプロトコル、インスタント・メッセージング、及び／又はショート
・メッセージ・サービス（ＳＭＳ）、或いは、本文書の出願日においてまだ開発されてい
ない通信プロトコルを含む他の何らかの適切な通信プロトコルを含む、１つ又はそれ以上
の通信プロトコルを用いて、他の装置との通信を確立し、維持することができる。
【００３６】
ＲＦ回路４０８及び音声回路４１０は、周辺機器インターフェース４１６を介して処理
システム４０４に結合される。インターフェース４１６は、周辺機器と処理システム４０
４との間の通信を確立し、維持するための種々の周知のコンポーネントを含む。音声回路
４１０は、音声スピーカ４５０及びマイクロフォン４５２に結合され、インターフェース
４１６から受け取った音声信号を処理し、ユーザが他のユーザとリアルタイムで通信する
のを可能にするための周知の回路を含む。幾つかの実施形態においては、音声回路４１０
は、ヘッドフォン・ジャック（図示せず）を含む。ＲＦ回路４０８及び音声回路４１０が
受け取った音声データ情報（例えば、音声認識又はボイス・コマンド・アプリケーション
における）は、周辺機器インターフェース４１６を介して、１つ又はそれ以上のプロセッ
サ４１８に送られる。１つ又はそれ以上のプロセッサ４１８は、媒体４０２上に格納され
た１つ又はそれ以上のアプリケーション・プログラム４３０についての種々のデータ形式
を処理するように構成することができる。
【００３７】
「データ」という用語は、これらに限られるものではないが、媒体４０２上に格納され
た１つ又はそれ以上のアプリケーション・プログラム４３０（例えば、ウェブブラウザ、
電子メール等）により用いることができる、テキスト、グラフィックス、ウェブページ、
ＪＡＶＡ（登録商標）アプレット、ウィジェット、電子メール、インスタント・メッセージ、音声、デ
ジタル画像又はビデオ、ＭＰ３等を含むことに留意されたい。幾つかの実施形態において
、装置４００は、無線ネットワーク又は外部ポート４３６を通して、インターネットから
、ファイル、歌、デジタル画像、ビデオ、電子メール、ウィジェット、インスタント・メ
ッセージ等のような、種々のデータをアップロードし、ダウンロードすることができる。
【００３８】
周辺機器インターフェース４１６は、装置の入出力周辺機器をプロセッサ４１８及びコ
ンピュータ可読媒体４０２に結合させる。１つ又はそれ以上のプロセッサ４１８は、コン
トローラ４２０を介して、１つ又はそれ以上のコンピュータ可読媒体４０２と通信する。
コンピュータ可読媒体４０２は、１つ又はそれ以上のプロセッサ４１８が用いるためのコ
ード及び／又はデータを格納することができる何らかの装置又は媒体とすることができる
。媒体４０２は、これらに限られるものではないが、キャッシュ、メインメモリ、及び二
次メモリを含む記憶階層を含むことができる。記憶階層は、ＲＡＭ（例えば、ＳＲＡＭ、
ＤＲＡＭ、ＤＤＲＡＭ）、ＲＯＭ、ＦＬＡＳＨ、ディスクドライブ、磁気テープ、ＣＤ（
コンパクトディスク）及びＤＶＤ（デジタル・ビデオ・ディスク）などの磁気及び／又は
光記憶装置のいずれかの組み合わせを用いて実装することができる。媒体４０２はまた、
コンピュータ命令又はデータを示す情報支持信号を伝えるための伝送媒体を含むこともで
きる（信号を変調する搬送波の有無にかかわらず）。例えば、伝送媒体は、これらに限ら
れるものではないが、インターネット（ワールド・ワイド・ウェブとも呼ばれる）、イン
トラネット、ローカル・エリア・ネットワーク（ＬＡＮ）、広域ローカル・エリア・ネッ
トワーク（ＷＬＡＮ）、ストレージ・エリア・ネットワーク（ＳＡＮ）、メトロポリタン
・エリア・ネットワーク（ＭＡＮ）等を含む通信ネットワークを含むことができる。
【００３９】
１つ又はそれ以上のプロセッサ４１８は、媒体４０２に格納された種々のソフトウェア
・コンポーネントを実行し、装置４００に関する種々の機能を実施する。幾つかの実施形
態においては、ソフトウェア・コンポーネントは、オペレーティング・システム４２２、
通信モジュール（又は命令の組）４２４、接触／運動モジュール（又は命令の組）４２６
、グラフィックス・モジュール（又は命令の組）４２８、１つ又はそれ以上のアプリケー
ション（又は命令の組）４３０、タイマー・モジュール（又は命令の組）４３８、及び再
構成モジュール（又は命令の組）４４０を含む。
【００４０】
オペレーティング・システム４２２（例えば、Ｄａｒｗｉｎ、ＲＴＸＣ、ＬＩＮＵＸ（登録商標）、
ＵＮＩＸ（登録商標）、ＯＳ  Ｘ、ＷＩＮＤＯＷＳ（登録商標）、又はＶｘＷｏｒｋｓのような内蔵されたオペレー
ティング・システム）は、種々のプロシージャ、命令の組、ソフトウェア・コンポーネン
ト、及び／又は一般的なシステム・タスク（例えば、メモリ管理、記憶装置制御、電力管
理等）を制御し、管理するためのドライバを含み、種々のハードウェア・コンポーネント
とソフトウェア・コンポーネントとの間の通信を容易にする。
【００４１】
通信モジュール４２４は、１つ又はそれ以上の外部ポート４３６による、又はＲＦ回路
４０８を介する他の装置との通信を容易にし、かつ、ＲＦ回路４０８及び／又は外部ポー
ト４３６から受け取ったデータを処理するための種々のソフトウェア・コンポーネントを
含む。外部ポート４３６（例えば、ＵＳＢ、ＦｉｒｅＷｉｒｅ（商標）等）は、他の装置
に直接的に、又はネットワーク（例えば、インターネット、無線ＬＡＮ等）によって間接
的に連結するように適合される。
【００４２】
グラフィックス・モジュール４２８は、タッチセンシティブ・ディスプレイ・システム
４１２の表示面上にグラフィカル・オブジェクトをレンダリングし、アニメーション表示
し、表示するための、種々の周知のソフトウェア・コンポーネントを含む。「グラフィカ
ル・オブジェクト」という用語は、テキスト、ウェブページ、アイコン、デジタル画像、
アニメーション等を制限なく含む、ユーザに表示することができる何れかのオブジェクト
を含むことに留意されたい。
【００４３】
１つ又はそれ以上のアプリケーション４３０は、ブラウザ、アドレス帳、連絡先リスト
、電子メール、インスタント・メッセージング、ワード・プロセッシング、キーボード・
エミュレーション、ウィジェット、ＪＡＶＡ（登録商標）対応アプリケーション、暗号化、デジタル化
権管理、音声認識、音声複製、位置決定能力（全地球測位システム（ＧＰＳ）によって提
供されるもののような）、（ＭＰ３又はＡＡＣファイルのような、１つ又はそれ以上のフ
ァイルに格納された録音された音楽を再生する）音楽プレイヤー等を制限なく含む、装置
４００上にインストールされた任意のアプリケーションを含むことができる。
【００４４】
幾つかの実施形態においては、装置４００は、ｉＰｏｄ（Ａｐｐｌｅ  Ｃｏｍｐｕｔｅ
ｒ，  Ｉｎｃ．社の商標）のような、ＭＰ３プレイヤーの機能を含むことができる。従っ
て、装置４００は、ｉＰｏｄと両立性のある３６ピン・コネクタを含むことができる。幾
つかの実施形態においては、装置４００は、画像形成用途に用いるために、ＣＭＯＳ又は
ＣＣＤイメージ・センサのような１つ又はそれ以上の随意的な光センサ（図示せず）を含
むことができる。
【００４５】
図１−図３の実施形態に関して前述されたように、接触／運動モジュール４２６は、タ
ッチセンシティブ・ディスプレイ・システム４１２と関連した種々のタスクを行うための
種々のソフトウェア・コンポーネントを含む。
タイマー・モジュール４３８は、インターフェース再構成プロセス１００（図１）と共
に用いられるソフトウェア・タイマーである。タイマー・モジュール４３８はまた、ハー
ドウェア内に実装することもできる。
再構成モジュール４４０は、アイコン効果（ｅｆｆｅｃｔ）モジュール（又は命令の組
）４４２を含むことができる。アイコン効果モジュール４４２は、インターフェース再構
成モード中のアイコンについてのアニメーションを含むことができる。幾つかの実施形態
においては、アイコン効果モジュール４４２は、グラフィックス・モジュール４２８内に
含ませてもよい。
【００４６】
Ｉ／Ｏサブシステム４０６は、タッチセンシティブ・ディスプレイ・システム４１２と
、電力制御、スピーカ音量制御、呼び出し音の音量、キーボード入力、スクローリング、
保留、メニュー、スクリーン・ロック、通信の切断及び終了等といった種々の機能を制御
し、実行するための１つ又はそれ以上の他の物理的制御装置４１４(例えば、プッシュボ
タン、スイッチ、ダイヤル、ＬＥＤ等)に連結される。タッチセンシティブ・ディスプレ
イ４１２は、ユーザ入力を処理するための種々のコンポーネント（例えば、走査ハードウ
ェア）を含むタッチセンシティブ・スクリーン・コントローラ４３２を介して、処理シス
テム４０４と通信する。１つ又はそれ以上の他の入力コントローラ４３４は、他の入力又
は制御装置４１４との間で電気信号を送受信する。他の入力／制御装置４１４は、物理的
ボタン（例えば、プッシュボタン、ロッカー・ボタン等）、ダイヤル、スライダー・スイ
ッチ、スティック等を含むことができる。
【００４７】
タッチセンシティブ・ディスプレイ４１２は、ＧＵＩにおいて、ユーザに視覚的な出力
を表示する。視覚的出力は、テキスト、グラフィックス、ビデオ、及びそれらの任意の組
み合わせを含むことができる。視覚的出力の一部又は全てが、ユーザ・インターフェース
・オブジェクトに対応することができる。タッチセンシティブ・ディスプレイ４１２はま
た、触覚的又は触知的な接触に基づいて、ユーザからの入力を受け入れることもできる。
タッチセンシティブ・ディスプレイ４１２は、ユーザ入力を受け入れるタッチ感知式面を
形成する。タッチセンシティブ・ディスプレイ４１２及びタッチスクリーン・コントロー
ラ４３２は（いずれかの関連したモジュール及び／又は媒体４０２内の命令の組と共に）
、タッチセンシティブ・ディスプレイ４１２における接触（及び接触の何らかの移動又は
解除）を検知し、検知された接触を、接触が生じるときにタッチスクリーン上に表示され
る、１つ又はそれ以上のソフト・キーのようなユーザ・インターフェース・オブジェクト
との対話に変換する。例示的な実施形態において、タッチセンシティブ・ディスプレイ４
１２とユーザとの間の接触点は、ユーザの１又はそれ以上の指に対応する。タッチセンシ
ティブ・ディスプレイ４１２は、ＬＣＤ（液晶ディスプレイ）技術、又はＬＰＤ（発光ポ
リマー・ディスプレイ）技術を用いることができるが、他の実施形態においては、他の表
示技術を用いることもできる。タッチセンシティブ・ディスプレイ４１２及びタッチスク
リーン・コントローラ４３２は、これらに限られるものではないが、容量技術、抵抗技術
、赤外線技術、表面音響波技術、及び他の近接センサ・アレイ、又はタッチセンシティブ
・ディスプレイ４１２との１又はそれ以上の接触点を判別するための他の要素を含む、複
数のタッチ感知技術のいずれかを用いて、接触と、何らかの接触の移動又は解除とを検知
することができる。
【００４８】
タッチセンシティブ・ディスプレイは、その各々が引用によりここに組み入れられる米
国特許第６，３２３，８４６号（Ｗｅｓｔｅｒｍａｎ他）、米国特許第６，５７０，５５
７号（Ｗｅｓｔｅｒｍａｎ他）、及び／又は米国特許第６，６７７，９３２号（Ｗｅｓｔ
ｅｒｍａｎ）、及び／又は米国特許公開第２００２／００１５０２４  Ａ１号において説
明されるマルチ・タッチセンシティブ・タブレットに類似したものにすることができる。
しかしながら、タッチスクリーン１２６は、携帯用装置からの視覚的出力を表示するのに
対し、タッチセンシティブ・タブレットは、視覚的出力を提供するものではない。タッチ
センシティブ・ディスプレイ４１２は、１００ｄｐｉ以上の解像度を有することができる
。例示的な実施形態においては、タッチセンシティブ・ディスプレイ４１２は、約１６８
ｄｐｉの解像度を有することができる。ユーザは、スタイラス、ペン、指等のいずれかの
適切なオブジェクト又はアペンデージを用いて、タッチセンシティブ・ディスプレイ４１
２と接触することができる。
【００４９】
幾つかの実施形態においては、タッチスクリーンに加えて、装置４００は、特定の機能
を作動させる又は作動しないようにするためのタッチパッド（図示せず）を含むことがで
きる。幾つかの実施形態においては、タッチパッドは、タッチスクリーンとは異なり、視
覚的出力を表示しない装置のタッチセンシティブ領域である。タッチパッドは、タッチセ
ンシティブ・ディスプレイ４１２とは分離したタッチタッチセンシティブ（タッチ感知式
）面であってもよく、又は、タッチセンシティブ・ディスプレイ４１２によって形成され
るタッチ感知式面の延長部であってもよい。
【００５０】
装置４００はまた、種々のハードウェア・コンポーネントに電力を供給するための電力
システム４４４を含む。電力システム４４４は、電力管理システム、１つ又はそれ以上の
電源（例えば、バッテリ、交流電流（ＡＣ））、充電システム、停電検知回路、電力変換
装置又は逆変換装置、電力状態表示器（例えば、発光ダイオード（ＬＥＤ））、及び、一
般に携帯用装置における電力の生成、管理、及び分配と関連した他の何らかのコンポーネ
ントを含むことができる。
幾つかの実施形態においては、周辺機器インターフェース４１６、１つ又はそれ以上の
プロセッサ４１８、及びメモリ・コントローラ４２０は、処理システム４０４のような単
一のチップ上に実装することができる。幾つかの他の実施形態においては、これらを別個
のチップ上に実装することができる。
【００５１】
本発明の特定の実施形態の上記の説明は、図示及び説明目的のために提示される。これ
らは、網羅的であることを意図していず、又は、本発明を開示される精密な形態に制限す
ることを意図するものではない。寧ろ、上記の教示を考慮して、多数の修正及び変形が可
能であることを認識すべきである。実施形態は、本発明の原理及びその実際の適用例を最
良に説明するように選択され、述べられるものであり、これにより、当業者が、本発明及
び種々の実施形態を、想定される特定の用途に適するような種々の修正と併せて最良に用
いることを可能にする。
【図１】
2020191108.tif 000003
【図２Ａ】
2020191108.tif 000004
【図２Ｂ】
2020191108.tif 000005
【図２Ｃ】
2020191108.tif 000006
【図２Ｄ】
2020191108.tif 000007
【図２Ｅ】
2020191108.tif 000008
【図３Ａ】
2020191108.tif 000009
【図３Ｂ】
2020191108.tif 000010
【図４】
2020191108.tif 000011
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
タッチセンシティブ・ディスプレイと、
１つ又はそれ以上のプロセッサと、
メモリと、
前記メモリに格納され、前記１つ又はそれ以上のプロセッサによって実行されるように
構成され、かつ、
前記タッチセンシティブ・ディスプレイ上の第１の領域内に第１の複数のアイコンを
表示するための命令と、
所定のユーザ・インターフェース再構成プロセスを開始するために、前記タッチセン
シティブ・ディスプレイに対する第１の所定のユーザ・アクションを検知するための命令
と、
前記第１の所定のユーザ・アクションの検知に応答して、前記第１の複数のアイコン
の多数のアイコンの位置を変化させるための命令と、
を含む１つ又はそれ以上のプログラムと、
を備え、前記変化させることは、前記多数のアイコンの各アイコンの前記位置を、該多数
のアイコンの他のアイコンのそれぞれの平均的位置とは異なるそれぞれの平均的位置を中
心として変化させることを含み、それぞれのアイコンの各々は、実質的に前記それぞれの
アイコンの前記それぞれの平均的位置を中心とした領域内で振動することを特徴とする携
帯用電子装置。